(57)【要約】      （修正有）【課題】ディスプレイ装置を，可及的簡易な構造にして外観がよく，広告宣伝に有効に使用できるようにした簡易構成のものとする。【解決手段】スタンドベース１とディスプレイパネル２によってディスプレイ装置Ａを構成するとともにスタンドベース１を，アルミ板のベースプレート１１の正面を内角７５度に曲げ加工して正面リブ１２とし，またベースプレート１１にＬ字バー材を固定して内角を８０度とし且つ正面リブ１２より起立高さを高くした背面リブ１３を配置して保持溝１４を形成し，この保持溝１４にＬＥＤ光源を多数直列に固定する。保持溝１４に起立設置することによりディスプレイパネル２を傾斜配置し，ＬＥＤ光源による背面照明を行うようにする。シンプルにして意外性のあるディスプレイ装置Ａとすることができる。【選択図】図２
2008224967.tif 000002
【特許請求の範囲】
【請求項１】
スタンドベースと，該スタンドベースに起立設置したディスプレイパネルとを備え，上記スタンドベースに保持溝を形成し，該保持溝長手方向にＬＥＤ光源を多数直列配置するとともに保持溝長手方向複数個所に該ＬＥＤ光源より上端を僅少高位としたスペーサーを配置し，該スペーサーを介して上記ディスプレイパネルの下端を保持溝に保持してなることを特徴とする簡易構成のディスプレイ装置。
【請求項２】
上記スタンドベースを，ベースプレートと，該ベースプレートの正面端に背面上方に向けて該ベースプレートの間で背面を鋭角の起立角度とするように起立配置してディスプレイパネルの下端受止め用とした正面リブと，該正面リブと上記保持溝を形成するようにベースプレートに背面上方に向けて同じく正面を鋭角の起立角度とするとともに起立高さを正面リブより高くするように起立配置してディスプレイパネル背面下部の受止め用とした背面リブとを備えて形成し且つ上記鋭角の起立角度を正面リブにおいて相対的に小，背面リブにおいて相対的に大としてなることを特徴とする請求項１に記載の簡易構成のディスプレイ装置。
【請求項３】
上記スタンドベースを，一体成形又は曲げ加工によってベースプレートと正面リブとを一体に配置し且つ背面リブをＬ字，Ｃ字，中実等のバー材をベースプレートの定位置又は正背面側に位置調整自在に固定して形成してなることを特徴とする請求項２に記載の簡易構成のディスプレイ装置。
【請求項４】
上記スタンドベースを，正背面一対の挟持用バー材と，該一対の挟持用バー材間に介設挟持することによってその正面リブ及び背面リブ間に上記保持溝を形成した介設バー材とによって形成してなることを特徴とする請求項１に記載の簡易構成のディスプレイ装置。
【請求項５】
上記ディスプレイパネルを，アクリル樹脂の導光板と，その表面の非導光性の透明樹脂によるカバーパネルとを備えて形成するとともにこれら導光板とカバーパネルの幅方向両端面を露出配置することによって該両端面に導光板の光輝端面とカバーパネルの非光輝端面との明暗差を付してなることを特徴とする請求項１，２，３又は４に記載の簡易構成のディスプレイ装置。
【発明の詳細な説明】
【技術分野】
【０００１】
本発明は，ディスプレイパネルを全面又は部分的に発光することによって表面の光透過性フィルムによる宣伝広告，装飾等に使用する簡易構成のディスプレイ装置に関する。
【背景技術】
【０００２】
この種ディスプレイ装置として，例えば，本発明者らによる最先に導光板を用いて実用化した背面照明用のものが知られており，これによれば，ハウジングに蛍光灯光源を収容した光源ユニットと，該光源ユニットの上面に配置し，外周に額縁を配して中央を開口した保持ケースと，該保持ケースにしたアクリル樹脂の導光板とを備えたものとされ，各導光板は，その背面に形成した導光パタンによって入射光を可及的均一に光源離隔方向に導光することによって，その表面に配置した光透過性フィルムを背面照明するものとされ，その後この種ディスプレイ装置は，拡散シート，反射板等を用いることによって，更にその輝度とその均一性を確保するものとして改善されている。
【０００３】
【特許文献１】特許第２６２３０２８号公報
【発明の開示】
【発明が解決しようとする課題】
【０００４】
この場合，広告宣伝や装飾に使用するディスプレイ装置とすることができるが，一方で，その後のものにも見られるように，この種のディスプレイ装置は，多数の部品を用いることによって比較的複雑な構造となるとともにコストが高くなる傾向があり，また保持ケースには額縁を配したことによってデザイン的に鬱陶しい印象を与えるという問題点がある。
【０００５】
本発明はかかる事情に鑑みてなされたもので，その解決課題とするところは，可及的簡易な構造にしてコストを可及的に低下するとともにディスプレイ装置として外観がよく，広告宣伝や装飾に有効に使用できるようにした簡易構成のディスプレイ装置を提供するにある。
【課題を解決するための手段】
【０００６】
上記課題に沿って本発明は，スタンドベースと，ディスプレイパネルによって，額縁を用いることなく，シンプルなデザインのディスプレイ装置を構成する一方，スタンドベースにディスプレイパネルの保持溝を形成するとともに該保持溝にＬＥＤ光源を直列配置し且つ該保持溝にＬＥＤ光源より高さを高くした複数のスペーサーを配置し，該スペーサーによって上記ディスプレイパネルを支持して上記ディスプレイパネルの保持溝への保持を行うようにして，上記ＬＥＤ光源にディスプレイパネルが接触することなく，該ディスプレイパネルにＬＥＤ光源からの入射光を有効且つ適切に供給して全面又は部分的に背面照明を行い或いはディスプレイパネルの導光による光輝状の照明を行うものとして，可及的に少ない部材によって構造を可及的簡易に構成したものであって，即ち請求項１に記載の発明を，スタンドベースと，該スタンドベースに起立設置したディスプレイパネルとを備え，上記スタンドベースに保持溝を形成し，該保持溝長手方向にＬＥＤ光源を多数直列配置するとともに保持溝長手方向複数個所に該ＬＥＤ光源より上端を僅少高位としたスペーサーを配置し，該スペーサーを介して上記ディスプレイパネルの下端を保持溝に保持してなることを特徴とする簡易構成のディスプレイ装置としたものである。
【０００７】
請求項２に記載の発明は，上記に加えて，保持溝を有するスタンドベースの構造を，ベースプレートに対する鋭角の起立角度と起立高さを相対的に変化した正面リブと背面リブをベースプレートに一体又は別体に配置するとともに鋭角の起立角度を正面リブで小，背面リブで大とすることによって，これらの間に保持溝を配置するようにして，スタンドベースに対する正面リブと背面リブの配置による単純構造としながら，ディスプレイパネルの起立設置を，背面側に傾斜したものとして外観の向上を図るようにしたものであって，これを，上記スタンドベースを，ベースプレートと，該ベースプレートの正面端に背面上方に向けて該ベースプレートの間で背面を鋭角の起立角度とするように起立配置してディスプレイパネルの下端受止め用とした正面リブと，該正面リブと上記保持溝を形成するようにベースプレートに背面上方に向けて同じく正面を鋭角の起立角度とするとともに起立高さを正面リブより高くするように起立配置してディスプレイパネル背面下部の受止め用とした背面リブとを備えて形成し且つ上記鋭角の起立角度を正面リブにおいて相対的に小，背面リブにおいて相対的に大としてなることを特徴とする請求項１に記載の簡易構成のディスプレイ装置としたものである。
【０００８】
請求項３に記載の発明は，同じく上記に加えて，上記正面リブと背面リブを配置したスタンドベースを，その正面リブを，アルミ，樹脂等の一体成形や同じくアルミ，樹脂等の板材の曲げ加工によってベースプレートに一体に配置する一方，背面リブをバー材の接着，ネジ止め等によってベースプレートに固定することによって行うようにして，ベースプレートの形成を可及的簡易になし得るようにしたものであって，これを，上記スタンドベースを，一体成形又は曲げ加工によってベースプレートと正面リブとを一体に配置し且つ背面リブをＬ字，Ｃ字，中実等のバー材をベースプレートの定位置又は正背面側に位置調整自在に固定して形成してなることを特徴とする請求項２に記載の簡易構成のディスプレイ装置としたものである。
【０００９】
請求項４に記載の発明は，上記請求項１の構成に加えて，上記スタンドベースを，正背面一対の挟持用バー材と，これらの間に配置した介設バー材によって形成するとともに該介設バー材に保持溝を配置してディスプレイパネルの起立設置を行うようにして，同じくスタンドベースを正面リブと背面リブの配置による単純構造としてディスプレイパネルの起立設置を行うようにしたものであって，これを，上記スタンドベースを，正背面一対の挟持用バー材と，該一対の挟持用バー材間に介設挟持することによってその正面リブ及び背面リブ間に上記保持溝を形成した介設バー材とによって形成してなることを特徴とする請求項１に記載の簡易構成のディスプレイ装置としたものである。
【００１０】
請求項５に記載の発明は，上記に加えて，上記ディスプレイパネルをアクリル樹脂の導光板と，例えばポリカーボネート等の非導光性の透明樹脂によるカバーパネルによって形成するとともに該ディスプレイパネルの幅方向端面を外部に露出して，導光板の導光による光輝端面と，非光輝のカバーパネルによる明暗差をデザインとして取り込むようにしたものであって，これを，上記ディスプレイパネルを，アクリル樹脂の導光板と，その表面の非導光性の透明樹脂によるカバーパネルとを備えて形成するとともにこれら導光板とカバーパネルの幅方向両端面を露出配置することによって該両端面に導光板の光輝端面とカバーパネルの非光輝端面との明暗差を付してなることを特徴とする請求項１，２，３又は４に記載の簡易構成のディスプレイ装置としたものである。
【発明の効果】
【００１１】
本発明は以上のとおりに構成したから，請求項１に記載の発明は，スタンドベースと，ディスプレイパネルによって，額縁を用いることなく，シンプルなデザインのディスプレイ装置を構成する一方，スタンドベースにディスプレイパネルの保持溝を形成するとともに該保持溝にＬＥＤ光源を直列配置し且つ該保持溝にＬＥＤ光源より高さを高くした複数のスペーサーを配置し，該スペーサーによって上記ディスプレイパネルを支持して上記ディスプレイパネルの保持溝への保持を行うようにして，上記ＬＥＤ光源にディスプレイパネルが接触することなく，該ディスプレイパネルにＬＥＤ光源からの入射光を有効且つ適切に供給して全面又は部分的に背面照明を行い或いはディスプレイパネルの導光による光輝状の照明を行うものとして，可及的に少ない部材によって可及的簡易な構造にしてコストを可及的に低下するとともにディスプレイ装置として外観がよく，広告宣伝や装飾に有効に使用できるようにした簡易構成のディスプレイ装置を提供することができる。
【００１２】
請求項２に記載の発明は，上記に加えて，保持溝を有するスタンドベースの構造を，ベースプレートに対する鋭角の起立角度と起立高さを相対的に変化した正面リブと背面リブをベースプレートに一体又は別体に配置するとともに鋭角の起立角度を正面リブで小，背面リブで大とすることによって，これらの間に保持溝を配置するようにして，スタンドベースに対する正面リブと背面リブの配置による単純構造としながら，ディスプレイパネルの起立設置を，背面側に傾斜したものとして外観の向上を図るようにしたものとすることができる。
【００１３】
請求項３に記載の発明は，同じく上記に加えて，上記正面リブと背面リブを配置したスタンドベースを，その正面リブを，アルミ，樹脂等の一体成形や同じくアルミ，樹脂等の板材の曲げ加工によってベースプレートに一体に配置する一方，背面リブをバー材の接着，ネジ止め等によってベースプレートに固定することによって行うようにして，ベースプレートの形成を可及的簡易になし得るようにしたものとすることができる。
【００１４】
請求項４に記載の発明は，上記請求項１の構成に加えて，上記スタンドベースを，一対の挟持用バー材と，これらの間に配置した介設バー材によって形成するとともに該介設バー材に保持溝を配置してディスプレイパネルの起立設置を行うようにして，同じくスタンドベースを正面リブと背面リブの配置による単純構造としてディスプレイパネルの起立設置を行うようにしたものとすることができる。
【００１５】
請求項５に記載の発明は，上記に加えて，上記ディスプレイパネルをアクリル樹脂の導光板と，例えばポリカーボネート等の非導光性の透明樹脂によるカバーパネルによって形成するとともに該ディスプレイパネルの幅方向端面を外部に露出して，導光板の導光による光輝端面と，非光輝のカバーパネルによる明暗差をデザインとして取り込むようにしたものとすることができる。
【発明を実施するための最良の形態】
【００１６】
以下図面の例に従って本発明を更に具体的に説明すれば，図１乃至図４において，Ａはディスプレイ装置であって，該ディスプレイ装置Ａは，スタンドベース１と，該スタンドベース１に起立設置したディスプレイパネル２とを備え，上記スタンドベース１に保持溝１４を形成し，該保持溝１４長手方向にＬＥＤ光源１５を多数直列配置するとともに保持溝１４長手方向複数個所に該ＬＥＤ光源１５より上端を僅少高位としたスペーサー１６を配置し，該スペーサー１６を介して上記ディスプレイパネル２の下端を保持溝１４に保持した簡易構成のものとしてある。
【００１７】
即ちスタンドベース１に起立設置したディスプレイパネル２は，例えば店舗のカウンターテーブル上に載置して宣伝広告や装飾に使用するように，Ａ３，Ａ４サイズ，Ｂ４，Ｂ５サイズ等適宜面積にして，額縁を備えないシンプルなデザインのものとしてあり，本例にあって該ディスプレイパネル２は，これを，アクリル樹脂の導光板２１と，その表面の非導光性の透明樹脂によるカバーパネル２２とを備えて形成するとともにこれら導光板２１とカバーパネル２２の幅方向両端面を露出配置することによって該両端面に導光板２１の光輝端面とカバーパネル２２の非光輝端面との明暗差を付したものとしてあり，このとき本例のディスプレイパネル２は，上記導光板２１と，カバーパネル２２に加えて，導光板２１の背面側に反射板２３を備えて，該ディスプレイパネル２を背面照明用としてあり，例えば，上記カバーパネル２２と導光板２１との間に，宣伝広告，装飾用等に写真や文字を表示したポジフィルム等の光透過性のフィルムを配置して，上記保持溝１４に配置した直列多数のＬＥＤ光源１５の入射光を導光板２１に供給して，その導光による背面照明を行って，反射板２３を備えずに，導光板の導光による光輝状の照明に比して，より明るい高輝度の照明をなし得るようにしてある。
【００１８】
カバーパネル２２は，例えばポリカーボネート等の透明樹脂をそのまま使用することにより，該カバーパネル２２を非導光性のものとしてあり，これによって上記ＬＥＤ光源１５の背面照明時に，導光板２１は，その成形乃至スクリーン印刷の導光パタンの導光機能によって，端面に入射光が至る結果，該端面が光輝したものとなるが，非導光性のカバーパネル２２はその端面に入射光が至ることなく，樹脂面のままとなるので，ディスプレイパネル２は，光輝端面と，非光輝端面との明暗差を生じることになり，該明暗差をそのデザインとして取り込んだものとしてある。
【００１９】
ディスプレイパネル２は，上記幅方向両端を露出配置するも，例えば上端に，図示省略のテープ，幅方向に屈曲可能なプレート等を載置固定することによってその一体化措置を施したものとしてあり，このとき上記フィルムの交換は，例えばその下端からカバーパネル２２を開閉して，これを行うようにしてある。また反射板２３は，例えば発泡ポリエステルシートや該シートを貼着した金属，合成樹脂等の薄肉板によってこれを構成するものとしてある。
【００２０】
ＬＥＤ光源１５は，例えば長寸の基板に多数のＬＥＤチップを埋込配置したものを使用して，これを上記保持溝１４の底面に接着等の固定手段によって固定し，ＡＣ電源に接続してその照明を行うようにしてあり，また該ＬＥＤ光源１５とともに保持溝１４の長手方向複数個所，例えばその両端の底面乃至側面には，上記ＬＥＤ光源１５より上端高さを僅少，例えば１ｍｍ程度高くした合成樹脂，金属等のピース部材による上記スペーサー１６を接着等の固定手段によって固定してあり，これによって上記保持溝１４へのディスプレイパネル２の起立設置に際して，該ディスプレイパネル２をスペーサー１６上に載置し，該ディスプレイパネル２がＬＥＤ光源１５に接触して，その発熱を受けるのを防止するとともにＬＥＤ光源１５からの入射光を有効にディスプレイパネル２，特にその導光板２１に供給するようにしてある。
【００２１】
本例にあって上記スタンドベース１は，これを，ベースプレート１１と，該ベースプレート１１の正面端に背面上方に向けて該ベースプレート１１の間で背面を鋭角の起立角度とするように起立配置してディスプレイパネル２の下端受止め用とした正面リブ１２と，該正面リブ１２と上記保持溝１４を形成するようにベースプレート１１に背面上方に向けて同じく正面を鋭角の起立角度とするとともに起立高さを正面リブ１２より高くするように起立配置してディスプレイパネル２背面下部の受止め用とした背面リブ１３とを備えて形成し且つ上記鋭角の起立角度を正面リブ１２において相対的に小，背面リブ１３において相対的に大としたものとしてあり，このとき本例のスタンドベース１は，これを，一体成形又は曲げ加工によってベースプレート１１と正面リブ１２とを一体に配置し且つ背面リブ１３をＬ字，Ｃ字，中実等のバー材をベースプレート１１の定位置又は正背面側に位置調整自在に固定して形成したものとしてある。
【００２２】
このときスタンドベース１は，これを金属製のものとすることによって，ＬＥＤ光源１５の保持溝１４内の発熱，特に高輝度のＬＥＤ光源に見られる発熱を保持溝外に有効に放熱し得るようにしてあり，本例にあって該スタンドベース１は，そのベースプレート１１をアルミ板材として，該アルミ板材に曲げ加工を施して正面リブ１２を起立配置したものとしてある。
【００２３】
即ちベースプレート１１のアルミ板材は，例えば１〜５ｍｍ程度，本例にあっては１．５ｍｍ程度の比較的薄肉にして平面矩形のものを用い，その長寸側の一辺を，例えば１〜２ｃｍ程度の幅を上向きの背面側に曲げ加工により折曲することによって，正面リブ１２を形成してあり，このとき該正面リブ１２は，その鋭角の起立角度を，例えば７０〜７９度，本例にあっては７５度とし，またその起立高さを，例えば１ｃｍ強としてある。
【００２４】
一方，背面リブ１３は，金属製，特にアルミ板材とし，同様に該アルミ板材に曲げ加工を施して断面Ｌ字状をなすようにしたＬ字バー材を，上記ベースプレート１１にその一方のフィンを接着，溶着，ネジ止め等の固定手段によって，本例にあって定位置固定したものとしてあり，このとき他方のフィンによる背面リブ１３は，上記Ｌ字バー材の内角を，上記正面リブ１２より５度程度大きくした７６〜８５度とすることによって，ベースプレート１１への固定状態でその鋭角の起立角度を該Ｌ字バー材の角度に合せており，本例にあって該鋭角の起立角度は，これを８０度としてあり，またその起立高さは，これを，上記正面リブと１〜２ｃｍ高くした，例えば２〜４ｃｍ程度，本例にあっては３ｃｍとしてある。また該背面リブ１３は，その固定位置を，例えば正面リブ１２から双方の下端間距離をベースプレート１１上で０．５〜１．５ｃｍ程度，本例にあっては１ｃｍ弱離隔した位置とするように配置してある。
【００２５】
これにより保持溝１４は，これを，起立角度と起立高さの異なる正面リブ１２と背面リブ１３によって，正面側を，その起立角度を小さく且つ起立高さを低く，背面側を，その起立角度を大きく且つ起立高さを高くして，その双方の延長線が上方で交差する先細り段差状の上向き開口をなすものとしてあり，該保持溝１４にディスプレイパネル２の下端を挿入するように差込装着することによって，上記正面リブ１２をディスプレイパネル２の下端受止め用とし，また背面リブ１３をディスプレイパネル２背面下部の受止め用として，該ディスプレイパネル２を背面側に傾斜して保持するものとしてある。このとき該背面リブ１３は，そのスタンドベース１に対する固定位置を正背面側にずらすように変化して，該ディスプレイパネル２の起立角度を，急傾斜と緩傾斜との間で適宜な傾斜角度とするように設定することができる。
【００２６】
図５は，ベースプレート１に定位置固定した背面リブ１２を，上記Ｌ字バー材に代えて，アルミ，合成樹脂等の中実バー材を用いて形成した例を示し，このとき該中実バー材は，その正面を底面に対する内角を上記Ｌ字バー材におけるフィンと同様に正面リブ１２より相対的に大の鋭角をなすものとし且つその正面の起立高さを同じく上記Ｌ字バー材におけるフィンと同様に正面リブ１２より高くしたものとしてある。その余は上記例と変らないので，同一符号を付してその説明を省略する。
【００２７】
以上のように形成した本例のディスプレイ装置Ａは，スタンドベース１と，ディスプレイパネル２の，可及的に部材数を減少した構造のものとするとともに上記スタンドベース１をアルミ板材を曲げ加工して正面リブ１２を配置し，該スタンドベース１に背面リブ１３を固定するという同じく可及的に部材数を減少した構造のものとして，その構成を極めて簡易化するとともにコストの上昇を可及的に抑制したものとし得る一方，その外観は，正面側から見て，比較的細幅の正面リブ１２と背面側に傾斜した，額縁を用いずに全面を照明面としたディスプレイパネル２とが現れる結果，ディスプレイパネル２の下端にアクセントとして正面リブ１２を配置して起立している如くに，極めてシンプルにしてスマートなものとすることができ，また側面は，比較的薄肉のディスプレイパネル２の厚み方向に導光板２１の端面が光輝することによって明暗を付したデザインのものとすることができ，またＬＥＤ光源１５は保持溝１４内に収容されるも比較的細幅の正面リブ１２によって被覆されて外部に露出しないから，光源がないような外観を呈しながら，ディスプレイ装置Ａとしてその背面照明を行うものとすることができる。従って該ディスプレイ装置Ａを使用して，例えば宣伝広告を行えば，シンプルにして背面照明を行うという意外性を呈して，人目を惹いて注目を集め易く，その宣伝広告効果を高度に発揮向上するものとし得る。
【００２８】
図６乃至図７は，ディスプレイ装置Ａの，特にスタンドベース１を異にした例を示すもので，本例にあって該スタンドベース１は，これを，正背面一対の挟持用バー材１７と，該一対の挟持用バー材１７間に介設挟持することによってその正面リブ１２及び背面リブ１３間に上記保持溝１４を形成した介設バー材１８とによって形成するとともに，上記反射板の設置を省略して，導光板２１の導光による穏やかな光輝状の照明を行うようにしてある。
【００２９】
即ちスタンドベース１は，例えばアルミ板材を曲げ加工し又はアルミを押出加工することによって形成した，それぞれ肉厚を１〜２ｍｍ，本例にあっては１．５ｍｍとする一対の挟持用バー材１７と介設バー材１８とを用いてあり，このとき本例の一対の挟持用バー１７は，上面を水平にしてその両端を垂直とした断面Ｃ字状にして下面一方に正背面側に向けた水平の小突起を備えた断面形状にして，正背面に反転して共通に使用するものとしてある。また介設バー１８は，上記ディスプレイパネル２の厚さに合せて，その下端を挿入して保持するように上向きに開口し，高さを上記挟持用バー材１７の高さと同一乃至それ以下とした細幅の断面Ｕ字状のものとしてある。該スタンドベース１は，該介設バー材１８を中央に，その正背面側に上記挟持用バー材１７をそれぞれ配置し，各挟持用バー材１７と介設バー材１８を，接着，溶着等の固定手段によって固定して，これらを一体化して形成したものとしてあり，このとき本例のディスプレイ装置Ａは，ディスプレイパネル２を該スタンドベース１に垂直に起立設置するものとしてあり，ディスプレイパネル２を傾斜して起立設置する上記例のものとともにディスプレイ装置Ａとしての用途を拡大することができるようにしてある。その余は上記例と変らないので同一符号を付してその説明を省略する。
【００３０】
本例にあっても上記例と同様に，スタンドベース１と，上記反射板を省略した導光板２１とカバーパネル２２のディスプレイパネル２によって，更に簡易な構成とするとともに上記スタンドベース１を正背面一対の挟持用バー材１７と介設用バー材１８を固定した簡易構成のものとして，同様にディスプレイパネル２の下端に挟持用バー材１７を配置した如くに，正面を，極めてシンプルにしてスマートなものとし乍ら，側面を導光板２１の端面が光輝し，ＬＥＤ光源１５が外部に露出しないことによる意外性のあるディスプレイ装置Ａとすることができる。
【００３１】
図示した例は以上のとおりとしたが，上記図１乃至図５の例にあって，上記反射板やカバーパネルの設置を省略して光輝状の照明を行うように構成すること，導光パタンを導光板の面内の全面に形成することなく，例えば中央部分や上方部分等，面内の一部分乃至複数部分に部分的に形成して，ディスプレイパネルを部分的な背面照明乃至光輝状の照明を行うものとすること，背面リブをベースプレートに対して正背面側に位置調整自在に固定して，必要に応じてディスプレイパネルの傾斜角度を転倒方向又は起立方向に向けて可変のものとすること，この場合，例えばベースプレート乃至上記バーの一方に正背面側に向けた長孔を，他方にネジ透孔を複数配置し，これらをそれぞれネジとボルトで固定するようにすること，ベースプレートとこれらのバー材にバー材スライド用のガイドを配置するとともに該バー材のガイド位置に雌ネジを配置し，ベースプレートに対してバー材からのネジを圧着してその固定を行うようにすること，正面リブをベースプレートに固定することによってその配置を行うこと，正面リブ乃至背面リブを，前面を湾曲した，例えば断面Ｃ字状のＣ字バー材，波型バー材等によって形成すること，スタンドベース又はその正面リブをディスプレイパネルの幅方向中間に部分的に位置するものとして構成すること，図６及び図７の例にあって，反射板を設置して背面照明を行うものとすること等を含めて，ディスプレイ装置，スタンドベース，ディスプレイパネル，保持溝，ＬＥＤ光源，スペーサー，必要に応じて用いるベースプレート，正面リブ，背面リブ，挟持用バー材，介設バー材等の各具体的形状，構造，材質，これらの関係，これらに対する付加等は，上記発明の要旨に反しない限り様々な形態のものとすることができる。
【図面の簡単な説明】
【００３２】
【図１】ディスプレイ装置の一部切欠き斜視図である。
【図２】ディスプレイ装置の縦断面図である。
【図３】ディスプレイ装置の一部切欠き正面図である。
【図４】スタンドベースの部分拡大図である。
【図５】他の例のスタンドベースの部分拡大図である。
【図６】ディスプレイ装置の他の例を示す縦断面図である。
【図７】図６のディスプレイ装置の平面図である。
【符号の説明】
【００３３】
Ａ    ディスプレイ装置
１    スタンドベース
１１  ベースプレート
１２  正面リブ
１３  背面リブ
１４  保持溝
１５  ＬＥＤ光源
１６  スペーサー
１７  挟持用バー材
１８  介設バー材
２    ディスプレイパネル
２１  導光板
２２  カバーパネル
２３  反射板
【図１】
2008224967.tif 000003
【図２】
2008224967.tif 000004
【図３】
2008224967.tif 000005
【図４】
2008224967.tif 000006
【図５】
2008224967.tif 000007
【図６】
2008224967.tif 000008
【図７】
2008224967.tif 000009